(57)【要約】    【構成】  テーブルＴ１およびＴ２には、ＨＤ１８ａに記録された複数のコンテンツのうちＤＶＤ２０ａに複写された複写済みコンテンツの属性情報が登録され、ＴＶモニタ２４には、テーブルＴ１およびＴ２に登録された属性情報に基づく削除支援画面が表示される。オペレータは、削除支援画面により複写済みコンテンツの各々の要否を判断し、どの複写済みコンテンツも不要であれば、全ての複写済みコンテンツを一括削除する操作を行う。応じてＣＰＵ２８は、ＨＤ１８ａから全ての複写済みコンテンツを削除する一括削除命令をＨＤＤ１８に発行する。    【効果】  複写済みコンテンツの要否を的確に判断できる。また、不要な複写済みコンテンツを簡単な操作でＨＤ１８ａから削除することができる。  【選択図】  図１
2005346531.tif 000002
【特許請求の範囲】
【請求項１】
内部記録媒体に記録された複数のコンテンツのうち任意のコンテンツを外部記録媒体に複写する複写手段、
前記複写手段による複写先の外部記録媒体の記録形式を判別する判別手段、
前記複写手段によって複写された複写済みコンテンツの属性と前記判別手段によって判別された記録形式とが記述された複写済みコンテンツ情報を作成する作成手段、および
前記内部記録媒体に記録された複写済みコンテンツの削除操作を支援する支援情報を前記作成手段によって作成された複写済みコンテンツ情報に基づいて出力する出力手段を備える、コンテンツ複写装置。
【請求項２】
前記出力手段は前記複写済みコンテンツ情報に記述された記録形式に応じて異なる態様で前記支援情報を出力する、請求項１記載のコンテンツ複写装置。
【請求項３】
所望の記録形式が指定された削除命令を受け付ける受付手段、および
前記削除命令を前記受付手段によって受け付けたとき前記所望の形式を有する外部記録媒体に複写された複写済みコンテンツを前記内部記録媒体から一括して削除する削除手段をさらに備える、請求項１または２記載のコンテンツ複写装置。
【請求項４】
前記記録形式は前記外部記録媒体が書き換え可能であるか否かを定義する、請求項１ないし３のいずれかに記載のコンテンツ記録装置。
【請求項５】
前記属性はコンテンツ名，ジャンル，記録日時および時間長の少なくとも１つを含む、請求項１ないし４のいずれかに記載のコンテンツ複写装置。
【請求項６】
前記複写手段によって複写されたコンテンツの属性情報を複写済みコンテンツリストに登録する登録手段、および
一括削除操作を受け付けたとき前記複写済みコンテンツリストを参照して全ての複写済みコンテンツを前記内部記録媒体から削除する一括削除手段をさらに備える、請求項１ないし５のいずれかに記載のコンテンツ複写装置。
【請求項７】
コンテンツ複写装置のプロセサによって実行されるコンテンツ管理プログラムであって、
(a) 内部記録媒体に記録された複数のコンテンツのうち任意のコンテンツを外部記録媒体に複写する複写ステップ、
(b) 前記複写ステップによる複写先の外部記録媒体の記録形式を判別する判別ステップ、
(c) 前記複写ステップによって複写された複写済みコンテンツの属性と前記判別ステップによって判別された記録形式とが記述された複写済みコンテンツ情報を作成する作成ステップ、および
(d) 前記内部記録媒体に記録された複写済みコンテンツの削除操作を支援する支援情報を前記作成ステップによって作成された複写済みコンテンツ情報に基づいて出力する出力ステップを備える、コンテンツ管理プログラム。
【請求項８】
内部記録媒体に記録された複数のコンテンツのうち任意のコンテンツを外部記録媒体に複写する複写手段、
前記複写手段によって複写されたコンテンツの属性情報を複写済みコンテンツリストに登録する登録手段、および
一括削除操作を受け付けたとき前記複写済みコンテンツリストを参照して全ての複写済みコンテンツを前記内部記録媒体から削除する一括削除手段を備える、コンテンツ複写装置。
【請求項９】
コンテンツ複写装置のプロセサによって実行されるコンテンツ管理プログラムであって、
(a) 内部記録媒体に記録された複数のコンテンツのうち任意のコンテンツを外部記録媒体に複写する複写ステップ、
(b) 前記複写ステップによって複写されたコンテンツの属性情報を複写済みコンテンツリストに登録する登録ステップ、および
(c) 一括削除操作を受け付けたとき前記複写済みコンテンツリストを参照して全ての複写済みコンテンツを前記内部記録媒体から削除する一括削除ステップを備える、コンテンツ管理プログラム。
【発明の詳細な説明】
【技術分野】
【０００１】
この発明は、コンテンツ複写装置に関し、特にたとえば、内部記録媒体に記録された複数のコンテンツのうち任意のコンテンツを外部記録媒体に複写する、コンテンツ複写装置に関する。
【背景技術】
【０００２】
従来、ハードディスクドライブとＤＶＤドライブとの両方を備えるレコーダが提供されている。この従来のレコーダは、例えばチューナで受信されたコンテンツをハードディスクに記録し、ハードディスクに記録された複数のコンテンツのうち任意のコンテンツをＤＶＤに複製する。そして、ハードディスクの空き容量が少なくなると、ハードディスクに記録された複数のコンテンツのうち任意のコンテンツを削除する。削除処理では一般に、ハードディスク内のコンテンツの一覧画面を表示し、一覧画面上で所望のコンテンツ、典型的にはＤＶＤに複写された複写済みコンテンツを１つ１つ選択する選択操作を受け付け、そして選択されたコンテンツをハードディスクから削除する。
【０００３】
また、従来この種の別の装置として、特許文献１に開示された自動取引装置が知られている。この従来技術は、ハードディスクに記録された複数のログファイル（取引履歴）の各々を、異なる２枚の光磁気ディスクに１回ずつ複写する。こうして２度複写されたログファイルを“削除待ち”ディレクトリに保管し、所定期間が経過したときハードディスクから削除する。なお、同じログファイルを２枚の光磁気ディスクに記録するのは、ディスク破損によってログファイルが失われる可能性を低減するためである。
【特許文献１】特開２０００−２０７９３号公報〔Ｇ０７Ｄ ９／００，Ｇ０６Ｆ １９／００〕
【発明の開示】
【発明が解決しようとする課題】
【０００４】
上記のように、従来のレコーダでは、オペレータが記憶を頼りに複写済みコンテンツを１つ１つ削除する操作を行わなければならない。一方、特許文献１の装置では、複写済みログファイルは“削除待ち”ディレクトリに保管され、後にハードディスクから自動的に削除される。そこで、従来のレコーダにおいて、複写済みコンテンツをテーブルに登録し、登録されたコンテンツをハードディスクから自動的に削除することが考えられる。
【０００５】
しかし、レコーダによって記録されるコンテンツは多彩であり、利用のされ方も一様でない。つまり、多くのコンテンツはＤＶＤに複写すればハードディスクから削除して構わないが、コンテンツによっては複写後もハードディスクに残しておきたいことがある。
【０００６】
それゆえに、この発明の主たる目的は、複写済みコンテンツの要否を的確に判断することができる、コンテンツ複写装置を提供することである。
【０００７】
また、この発明の他の目的は、不要な複写済みコンテンツを簡単に削除することができる、コンテンツ複写装置を提供することである。
【課題を解決するための手段】
【０００８】
請求項１〜７の発明は、主たる目的に向けられ、請求項８および９の発明は、他の目的に向けられる。
【０００９】
請求項１の発明に従うコンテンツ複写装置は、内部記録媒体に記録された複数のコンテンツのうち任意のコンテンツを外部記録媒体に複写する複写手段、複写手段による複写先の外部記録媒体の記録形式を判別する判別手段、複写手段によって複写された複写済みコンテンツの属性と判別手段によって判別された記録形式とが記述された複写済みコンテンツ情報を作成する作成手段、および内部記録媒体に記録された複写済みコンテンツの削除操作を支援する支援情報を作成手段によって作成された複写済みコンテンツ情報に基づいて出力する出力手段を備える。
【００１０】
複写手段は、内部記録媒体に記録された複数のコンテンツのうち任意のコンテンツを外部記録媒体に複写する。このとき、判別手段が複写先の外部記録媒体の記録形式を判別し、作成手段は複写済みコンテンツ情報を作成する。複写済みコンテンツ情報には、複写手段によって複写された複写済みコンテンツの属性と、判別手段によって判別された記録形式とが記述される。出力手段は、作成された複写済みコンテンツ情報に基づいて、内部記録媒体に記録された複写済みコンテンツの削除操作を支援する支援情報を出力する。
【００１１】
出力される支援情報を参照することによって、複写済みコンテンツの属性と、複写先の外部記録媒体の記録形式とがわかるので、複写済みコンテンツの要否を的確に判断できる。
【００１２】
請求項２の発明に従うコンテンツ複写装置は、請求項１に従属し、出力手段は複写済みコンテンツ情報に記述された記録形式に応じて異なる態様で支援情報を出力する。
【００１３】
複写先の外部記録媒体の記録形式が直感的にわかるので、複写済みコンテンツの要否の判断を素早く行える。
【００１４】
請求項３の発明に従うコンテンツ複写装置は、請求項１または２に従属し、所望の記録形式が指定された削除命令を受け付ける受付手段、および削除命令を受付手段によって受け付けたとき所望の形式を有する外部記録媒体に複写された複写済みコンテンツを内部記録媒体から一括して削除する削除手段をさらに備える。
【００１５】
記録形式が指定された削除命令を入力する操作を行うだけで、該当する複写済みコンテンツが一括削除される。このため、ある特定の形式の外部記録媒体に複写された複写済みコンテンツがどれも不要と判断されたとき、これらのコンテンツを簡単に削除できる。
【００１６】
請求項４の発明に従うコンテンツ複写装置は、請求項１ないし３のいずれかに従属し、記録形式は外部記録媒体が書き換え可能であるか否かを定義する。
【００１７】
書き換え不可能な外部記録媒体に複写された複写済みコンテンツがどれも不要であると判断されたき、または書き換え可能な外部記録媒体に複写された複写済みコンテンツがどれも不要であると判断されたき、該当する全ての複写済みコンテンツを簡単に削除できる。
【００１８】
請求項５の発明に従うコンテンツ複写装置は、請求項１ないし４のいずれかに従属し、属性はコンテンツ名，ジャンル，記録日時および時間長の少なくとも１つを含む。
【００１９】
請求項６の発明に従うコンテンツ複写装置は、請求項１ないし５のいずれかに従属し、複写手段によって複写されたコンテンツの属性情報を複写済みコンテンツリストに登録する登録手段、および一括削除操作を受け付けたとき複写済みコンテンツリストを参照して全ての複写済みコンテンツを内部記録媒体から削除する一括削除手段をさらに備える。
【００２０】
一括削除操作を行うだけで、複写済みコンテンツを内部記録媒体から一括削除できる。このため、支援情報によって複写済みコンテンツがどれも不要と判断されるとき、全ての複写済みコンテンツを簡単に削除できる。
【００２１】
請求項７の発明に従うコンテンツ管理プログラムは、コンテンツ複写装置のプロセサによって実行されるコンテンツ管理プログラムであって、(a) 内部記録媒体に記録された複数のコンテンツのうち任意のコンテンツを外部記録媒体に複写する複写ステップ、(b) 複写ステップによる複写先の外部記録媒体の記録形式を判別する判別ステップ、(c) 複写ステップによって複写された複写済みコンテンツの属性と判別ステップによって判別された記録形式とが記述された複写済みコンテンツ情報を作成する作成ステップ、および(d) 内部記録媒体に記録された複写済みコンテンツの削除操作を支援する支援情報を作成ステップによって作成された複写済みコンテンツ情報に基づいて出力する出力ステップを備える。
【００２２】
請求項８の発明に従うコンテンツ複写装置は、内部記録媒体に記録された複数のコンテンツのうち任意のコンテンツを外部記録媒体に複写する複写手段、複写手段によって複写されたコンテンツの属性情報を複写済みコンテンツリストに登録する登録手段、および一括削除操作を受け付けたとき複写済みコンテンツリストを参照して全ての複写済みコンテンツを内部記録媒体から削除する一括削除手段を備える。
【００２３】
複写手段は、内部記録媒体に記録された複数のコンテンツのうち任意のコンテンツを外部記録媒体に複写する。このとき登録手段は、複写手段によって複写されたコンテンツの属性情報を複写済みコンテンツリストに登録する。一括削除手段は、一括削除操作を受け付けたとき複写済みコンテンツリストを参照して、全ての複写済みコンテンツを内部記録媒体から削除する。
【００２４】
複写済みコンテンツがどれも不要であるとき、一括削除操作によって、全ての複写済みコンテンツを内部記録媒体から簡単に削除できる。
【００２５】
請求項９の発明に従うコンテンツ管理プログラムは、コンテンツ複写装置のプロセサによって実行されるコンテンツ管理プログラムであって、(a) 内部記録媒体に記録された複数のコンテンツのうち任意のコンテンツを外部記録媒体に複写する複写ステップ、(b) 複写ステップによって複写されたコンテンツの属性情報を複写済みコンテンツリストに登録する登録ステップ、および(c) 一括削除操作を受け付けたとき複写済みコンテンツリストを参照して全ての複写済みコンテンツを内部記録媒体から削除する一括削除ステップを備える。
【発明の効果】
【００２６】
この発明によれば、支援情報によって複写済みコンテンツの要否を的確に判断することができる。また、不要と判断される複写済みコンテンツを簡単に削除することができる。
【００２７】
この発明の上述の目的，その他の目的，特徴および利点は、図面を参照して行う以下の実施例の詳細な説明から一層明らかとなろう。
【発明を実施するための最良の形態】
【００２８】
図１を参照して、この実施例のレコーダ１０は、アナログ受信機１２と、ＨＤＤ（Hard Disk Drive）１８およびＤＶＤＤ（DVD Drive）２０とを含む。アナログ受信機１２は、アンテナ（図示せず）から高周波テレビジョン信号を受け、所望のチャネルのコンポジットビデオ信号およびオーディオ信号を出力する。コンポジットビデオ信号は入力処理回路１４を構成するＮＴＳＣデコーダ１４ａに与えられ、オーディオ信号は同回路１４を構成するＡ／Ｄ変換器１４ｃに与えられる。
【００２９】
ＮＴＳＣデコーダ１４ａは、与えられたコンポジットビデオ信号をデコードしてビデオデータを出力する。一方、Ａ／Ｄ変換器１４ｃはオーディオ信号にＡ／Ｄ変換を施してオーディオデータを出力する。出力されたビデオデータおよびオーディオデータはそれぞれ、ＭＰＥＧビデオエンコーダ１４ｂおよびＭＰＥＧオーディオエンコーダ１４ｄに与えられる。これにより、ビデオデータはＭＰＥＧビデオエンコーダ１４ｂによってビデオＰＥＳ（Packetized Elementary Stream）に変換され、オーディオデータはＭＰＥＧオーディオエンコーダ１４ｄによってオーディオＰＥＳに変換される。
【００３０】
マルチプレクサ１４ｅは、ＭＰＥＧビデオエンコーダ１４ｂおよびＭＰＥＧオーディオエンコーダ１４ｄから出力されたビデオＰＥＳおよびオーディオＰＥＳを多重してＭＰＥＧ−ＰＳ（Program Stream）を生成し、生成したＭＰＥＧ−ＰＳをＭＰＥＧバッファ１４ｆを介してＨＤＤ１８に与える。
【００３１】
ＨＤＤ１８は、ＣＰＵ２８からの記録命令を受け、ＭＰＥＧ−ＰＳが格納された本画像ファイルを内蔵型のハードディスク１８ａ上に作成する。こうして、所望の番組の映像と音声とがハードディスク１８ａに記録される。記録命令が発行されていない状態つまり非録画モードでは、ＭＰＥＧ−ＰＳをハードディスク１８ａ上のテンポラリファイルに書き込み、かつテンポラリファイルからＭＰＥＧ−ＰＳを読み出す処理が行われる。
【００３２】
ＣＰＵ２８から所望の番組の再生命令が発行されると、ＨＤＤ１８によって、ハードディスク１８ａに記録された該当本画像ファイルからＭＰＥＧ−ＰＳが再生される。再生されたＭＰＥＧ−ＰＳは、出力処理回路２２を形成するＭＰＥＧバッファ２２ａを介してデマルチプレクサ２２ｂに与えられる。デマルチプレクサ２２ｂは、与えられたＭＰＥＧ−ＰＳからビデオＰＥＳおよびオーディオＰＥＳを抽出し、ビデオＰＥＳをＭＰＥＧビデオデコーダ２２ｃに、オーディオＰＥＳをＭＰＥＧオーディオデコーダ２２ｅにそれぞれ与える。
【００３３】
ＭＰＥＧビデオデコーダ２２ｃは、与えられたビデオＰＥＳをデコードしてビデオデータを生成し、生成したビデオデータをＮＴＳＣエンコーダ２２ｄに与える。ビデオデータは、ＮＴＳＣエンコーダ２２ｄによってコンポジットビデオ信号に変換され、変換されたコンポジットビデオ信号はテレビモニタ２４に出力される。この結果、所望の番組の再生映像が、テレビモニタ２４に表示される。
【００３４】
ＭＰＥＧオーディオデコーダ２２ｅは、与えられたオーディオＰＥＳをデコードしてオーディオデータを生成する。生成されたオーディオデータはオーディオＤ／Ａ変換器２２ｆによってアナログオーディオ信号に変換され、変換されたオーディオ信号はテレビモニタ２４に出力される。この結果、所望の番組の再生音声が、テレビモニタ２４のスピーカから出力される。
【００３５】
なお、再生命令が発行されていない状態つまり非再生モードでは、ハードディスク１８ａ上のテンポラリファイルから読み出されたＭＰＥＧ−ＰＳが再生され、この結果、アナログ受信機１２によって現時点で受信されている番組の再生映像および再生音声が出力される。
【００３６】
ＣＰＵ２８から所望の番組のダビング命令が発行されると、ＤＶＤＤ２０は、該当本画像ファイルをハードディスク１８ａからＤＶＤ２０ａに複製する。このダビング処理により、同一の本画像ファイルがハードディスク１８ａおよびＤＶＤ２０ａの両方に形成される。以下では、ハードディスク１８ａまたはＤＶＤ２０ａに形成される本画像ファイルを“コンテンツ”と呼ぶ。
【００３７】
ここでＤＶＤＤ２０は、複数の記録形式、より具体的には追記型（Ｒタイプ）および書き換え型（ＲＷタイプ）の両タイプのＤＶＤに対応している。このため、例えば永久保存したいコンテンツはＤＶＤ−Ｒにダビングし、そうでないコンテンツはＤＶＤ−ＲＷにダビングするなど、必要に応じて２つのタイプのＤＶＤを使い分けることができる。
【００３８】
ＣＰＵ２８から所望の番組の削除命令が発行されると、ＨＤＤ１８は、該当コンテンツをハードディスク１８ａから削除する。また、ＣＰＵ２８からダビング済み番組の一括削除命令が発行されると、ＨＤＤ１８は、全てのダビング済みコンテンツをハードディスク１８ａから一括削除する。このほか、ＲタイプのＤＶＤ２０ａにダビングされたコンテンツ（以下“Ｒ”ダビング済みコンテンツ）だけを一括削除したり、ＲＷタイプのＤＶＤ２０ａにダビングされたコンテンツ（以下“ＲＷ”ダビング済みコンテンツ）だけを一括削除したりすることもできる。
【００３９】
フラッシュメモリ３０には、図２に示すようなコンテンツテーブルＴ１と、図３に示すようなダビング済みコンテンツテーブルＴ２とが格納されている。図２を参照して、コンテンツテーブルＴ１には、ハードディスク１８ａに記録されたコンテンツの各々について、コンテンツＩＤ，タイトル，録画日時などの情報が登録される。図３を参照して、ダビング済みコンテンツテーブルＴ２には、ハードディスク１８ａに記録されたコンテンツのうちダビング済みのコンテンツの各々について、ダビング先つまりＤＶＤのタイプとダビング日時とが登録される。
【００４０】
ＯＳＤ（On Screen Display）回路３２は、ＣＰＵ２８からの指示によりキャラクタ信号を生成する。ＯＳＤ回路３２からキャラクタ信号が出力されると、このキャラクタ信号はＮＴＳＣエンコーダ２２ｄからのコンポジットビデオ信号と混合回路３４で混合され、これによりテレビモニタ２４にキャラクタがオンスクリーン表示される。キャラクタには文字，記号，図形などが含まれ、これらの組み合わせによって、メニュー選択画面，アイコン，ダイアログなどが生成される。
【００４１】
以上のように構成されたレコーダ１０では、ハードディスク１８ａからコンテンツを削除するとき、コンテンツテーブルＴ１およびダビング済みコンテンツテーブルＴ２に基づいて図４〜図１７に示すようなコンテンツ削除支援画面が生成され、生成された画面がテレビモニタ２４に表示される。オペレータは、これらの削除支援画面に従って入力装置２６で削除操作を行うことにより、ハードディスク１８ａから適切にコンテンツを削除することができる。
【００４２】
具体的には、入力装置２６の管理キー２６ａが押されると、まず図４のようなコンテンツ管理メニュー画面が表示される。この画面は、“詳細”，“ダビング”，“削除”および“キャンセル”の４つの選択項目を含むメニューと、ハードディスク１８ａ内の複数のコンテンツにそれぞれ対応する複数のアイコンを含むコンテンツ一覧とで構成される。コンテンツ一覧内の複数のアイコンの各々には、対応コンテンツのタイトルが付される。さらに、ＲタイプのＤＶＤ２０ａに複写済みのコンテンツのアイコンには“→Ｒ”のような識別タグが付され、ＲＷタイプのＤＶＤ２０ａに複写済みのコンテンツのアイコンには“→ＲＷ”のような識別タグが付される。
【００４３】
図４の画面上で“詳細”がカーソルキー２６ｃおよびＯＫキー２６ｂの操作により選択されると、図５のようなコンテンツ選択画面が表示される。この画面は、詳細情報を表示するコンテンツの選択を行う旨のダイアログと、図４のものと同じコンテンツ一覧とを含む。さらに図５の画面上で例えばコンテンツ“Ｃ”が選択されると、図６のようなコンテンツ“Ｃ”に関する詳細情報が表示される。これにより、ハードディスク１８ａ上の任意のコンテンツについて、タイトル，ジャンル，録画日時，ダビング先などを容易に知ることができる。
【００４４】
図４のコンテンツ管理メニュー画面上で“ダビング”が選択されると、図７のようなコンテンツ選択画面が表示される。この画面は、ダビングするコンテンツの選択を行う旨のダイアログと、図４のものと同じコンテンツ一覧とを含む。図７の画面上で例えばコンテンツ“Ｂ”が選択されると、コンテンツ“Ｂ”に対応する本画像ファイルがハードディスク１８ａからＤＶＤ２０ａにダビングされる。この後、ダビング先つまりＤＶＤ２０ａの記録形式が検出され、検出結果つまりＲタイプかＲＷタイプかがテーブルＴ２（図３参照）に登録される。
【００４５】
図４のコンテンツ管理メニュー画面上で“削除”が選択されると、図８のような削除メニュー画面が表示される。この画面は、“選択”，“ダビング済み”および“キャンセル”の３つの選択項目を含むメニューと、図４のものと同じコンテンツ一覧とで構成される。図８の画面上で“選択”が選ばれると、図９のような削除コンテンツ選択画面が表示される。このコンテンツ選択画面は、削除するコンテンツの選択を行う旨のダイアログと、図４のものと同じコンテンツ一覧とを含む。
【００４６】
さらに図９の画面上でコンテンツ“Ｃ”が選択されると、図１０のようなコンテンツ削除画面が表示される。この画面は、コンテンツ“Ｃ”のアイコンと、コンテンツ“Ｃ”の削除を行ってよいかを確認するダイアログとで構成される。ここで“はい”が選択されると、コンテンツ“Ｃ”に対応する本画像ファイルがハードディスク１８ａから削除される。削除後、テーブルＴ１およびＴ２の各々からコンテンツ“Ｃ” に対応する情報が削除される。これにより、ハードディスク１８ａ上の任意のコンテンツを確実に削除することができる。
【００４７】
図８のコンテンツ削除メニュー画面上で“ダビング済み”が選択されると、図１１のようなダビング済みコンテンツ削除メニュー画面が表示される。この画面は、“全部”，“ＤＶＤ−Ｒ”，“ＤＶＤ−ＲＷ”および“キャンセル”の４つの選択項目を含むメニューと、ハードディスク１８ａ内の複数のダビング済みコンテンツにそれぞれ対応する複数のアイコンを含むコンテンツ一覧とで構成される。
【００４８】
図１１の画面上で“全部”が選択されると、図１２のような全ダビング済みコンテンツ一括削除画面が表示される。この画面には、図１１のものと同じコンテンツ一覧と、全てのダビング済みコンテンツを一括削除してよいかを確認するダイアログとが含まれる。ここで“はい”が選択されると、全てのダビング済みコンテンツつまりコンテンツ“Ａ”，“Ｃ”，“Ｅ”，“Ｇ”および“Ｉ”に対応する５つの本画像ファイルがハードディスク１８ａから一括削除される。これにより、ハードディスク１８ａ上の全ダビング済みコンテンツを簡単かつ確実に削除することができる。
【００４９】
図１１のダビング済みコンテンツ削除メニュー画面で“ＤＶＤ−Ｒ”が選択されると、図１３のような“Ｒ”ダビング済みコンテンツ削除メニュー画面が表示される。この画面は、“全部”，“選択”，“詳細”および“キャンセル”の４つの選択項目を含むメニューと、ハードディスク１８ａ内の複数の“Ｒ”ダビング済みコンテンツにそれぞれ対応する複数のアイコンを含むコンテンツ一覧とで構成される。
【００５０】
図１３の画面上で“全部”が選択されると、図１４のような“Ｒ”ダビング済みコンテンツ一括削除画面が表示される。この画面は、図３のものと同じコンテンツ一覧と、これらの“Ｒ”ダビング済みコンテンツを一括削除してよいかを確認するダイアログとで構成される。ここで“はい”が選択されると、“Ｒ”ダビング済みコンテンツつまりコンテンツ“Ａ”および“Ｇ”に対応する２つの本画像ファイルがハードディスク１８ａから一括削除される。これにより、ハードディスク１８ａ上の“Ｒ”ダビング済みコンテンツを簡単かつ確実に削除することができる。
【００５１】
図１１のダビング済みコンテンツ削除メニュー画面で“ＤＶＤ−ＲＷ”が選択されると、図１５のような“ＲＷ”ダビング済みコンテンツ削除メニュー画面が表示される。この画面は、“全部”，“選択”，“詳細”および“キャンセル”の４つの選択項目を含むメニューと、ハードディスク１８ａ内の複数の“ＲＷ”ダビング済みコンテンツにそれぞれ対応する複数のアイコンを含むコンテンツ一覧とで構成される。
【００５２】
図１５の画面上で“選択”が選ばれると、図１６のような削除コンテンツ選択画面が表示される。この画面は、削除する“ＲＷ”ダビング済みコンテンツの選択を行う旨のダイアログと、図１５のものと同じコンテンツ一覧とで構成される。図１６の画面上で例えばコンテンツ“Ｅ”が選択されると、図１７のようなコンテンツ削除画面が表示される。この画面は、コンテンツ“Ｅ”のアイコンと、コンテンツ“Ｅ”の削除を実行してよいかを確認するダイアログとで構成される。ここで“はい”が選択されると、コンテンツ“Ｅ”に対応する本画像ファイルがハードディスク１８ａから削除される。これにより、ハードディスク１８ａ上のＲＷダビング済みコンテンツのうち所望のコンテンツを確実に削除することができる。
【００５３】
なお、図１３の画面上で“詳細”が選ばれると、“Ｒ”ダビング済みコンテンツ選択画面（図示せず）が表示され、さらにこの画面上でいずれかのコンテンツが選択されると、選択されたＲダビング済みコンテンツの詳細情報が表示される。同様に、図１５の画面上で“詳細”が選ばれると、“ＲＷ”ダビング済みコンテンツ選択画面（図示せず）が表示され、この画面上でいずれかのコンテンツが選択されると、選択されたＲＷダビング済みコンテンツの詳細情報が表示される。これにより、ダビング済みコンテンツの削除を行う前にその詳細情報を確認できるので、誤削除を防ぐことができる。
【００５４】
また、図１５の画面上で“全部”が選択されると、“ＲＷ”ダビング済みコンテンツ一括削除画面（図示せず）が表示される。そして、ダイアログによる確認の後、“ＲＷ”ダビング済みコンテンツつまりコンテンツ“Ｃ”，“Ｅ”および“Ｉ”に対応する３つの本画像ファイルがハードディスク１８ａから一括削除される。これにより、ハードディスク１８ａ上の“ＲＷ”ダビング済みコンテンツを簡単かつ確実に削除することができる。
【００５５】
ハードディスク１８ａ上のコンテンツを削除するとき、ＣＰＵ２８は、具体的には図１８〜図３１のフロー図に従う処理を行う。なお、これらのフロー図に対応するプログラムは、フラッシュメモリ３０に格納される。ＣＰＵ２８は、μＩＴＲＯＮなどのマルチタスクＯＳの制御により、複数のタスクを並列的に実行することができる。
【００５６】
図１８〜図２９に示すコンテンツ管理タスク，図３０に示すダビングタスク，および図３１に示すコンテンツ削除タスクの各々は、レコーダ１０の電源がオンされたとき起動される。図１８を参照して、コンテンツ管理タスクでは、まずステップＳ１で初期処理を行う。初期処理には、レジスタ２８ｒのクリアならびにフラグＦ１およびＦ２のリセットが含まれる。    
【００５７】
初期処理が完了すると、ステップＳ３で管理キー２６ａが押されるのを待つ。管理キー２６ａが押されるとステップＳ５に移り、テーブルＴ１から全コンテンツの各々のＩＤおよびタイトルを取得し、かつテーブルＴ２から全ダビング済みコンテンツの各々のダビング先を取得する。次のステップＳ７では、コンテンツ管理メニューをコンテンツ一覧と共に表示する（図４参照）。そしてステップＳ９〜Ｓ１５のループに入り、“詳細”，“ダビング”，“削除”および“キャンセル”のいずれかの項目が選択されるのを待つ。
【００５８】
“詳細”が選択されると、ステップＳ９でＹＥＳと判別され、ステップＳ１７に移って詳細情報表示処理（後述）を実行する。その後、ステップＳ７に戻る。“ダビング”が選択されると、ステップＳ１１でＹＥＳと判別され、ステップＳ１９に移ってダビング関連処理（後述）を実行する。その後、ステップＳ７に戻る。“削除”が選択されると、ステップＳ１３でＹＥＳと判別され、ステップＳ２１に移って削除関連処理（後述）を実行する。その後、ステップＳ７に戻る。“キャンセル”が選択されると、ステップＳ１５でＹＥＳと判別され、ステップＳ３に戻る。
【００５９】
図１９を参照して、詳細情報表示処理では、まずステップＳ３１およびＳ３３のループで選択操作を待つ。コンテンツ一覧中のいずれかのコンテンツが選択されると（図５参照）、ステップＳ３１でＹＥＳと判別され、ステップＳ３５に移る。“キャンセル”が選択されると、ステップＳ３３でＹＥＳと判別され、上位層のルーチンに復帰する。
【００６０】
ステップＳ３５では、選択されたコンテンツの詳細情報をテーブルＴ１およびＴ２（図２および図３参照）から取得し、取得された詳細情報を表示する（図６参照）。そして、ステップＳ３７でＯＫキー２６ｂの押下を待ち、ＯＫキー２６ｂが押下されると、ステップＳ３１およびＳ３３のループに戻る。
【００６１】
図２０を参照して、ダビング関連処理では、まずステップＳ５１およびＳ５３のループで選択操作を待つ。コンテンツ一覧中のいずれかのコンテンツが選択されると（図７参照）、ステップＳ５１でＹＥＳと判別され、ステップＳ５５に移る。“キャンセル”が選択されると、ステップＳ５３でＹＥＳと判別され、上位層のルーチンに復帰する。
【００６２】
ステップＳ５５では、選択されたコンテンツの識別子をレジスタ２８ｒに登録し、次のステップＳ５７でフラグＦ１をセットする。そしてステップＳ５９に移り、フラグＦ１がリセットされるのを待つ。
【００６３】
フラグＦ１がリセットされると、ステップＳ６１でダビング先のタイプつまりＤＶＤ２０ａがＲタイプかＲＷタイプかを検出する。次のステップＳ６３では、検出結果に従い、テーブルＴ２（図３参照）を更新する。例えばコンテンツ“Ｂ”がＤＶＤ−Ｒにダビングされた場合、コンテンツ“Ｂ”の識別子およびそのダビング先（Ｒ／ＲＷ）がテーブルＴ２に新たに登録される。テーブル更新後、ステップＳ５１およびＳ５３の選択操作待ち状態に戻る。
【００６４】
図２１を参照して、削除関連処理では、まずステップＳ７１でコンテンツ削除メニューをコンテンツ一覧と共に表示する（図８参照）。そしてステップＳ７３〜Ｓ７７のループに入り、“選択”，“ダビング済み”および“キャンセル”のいずれかの項目が選択されるのを待つ。
【００６５】
“選択”が選ばれると、ステップＳ７３でＹＥＳと判別され、ステップＳ７９に移って選択削除処理（図２２参照；後述）を実行する。その後、ステップＳ７３〜Ｓ７７のループに戻る。“ダビング済み”が選択されると、ステップＳ７５でＹＥＳと判別され、ステップＳ８１に移ってダビング済みコンテンツ削除処理（図２３参照；後述）を実行する。その後、ステップＳ７３〜Ｓ７７のループに戻る。“キャンセル”が選択されると、ステップＳ７７でＹＥＳと判別され、上位層のルーチンに復帰する。
【００６６】
図２２を参照して、選択削除処理では、まずステップＳ９１およびＳ９３で選択操作を待つ。コンテンツ一覧中のいずれかのコンテンツが選択されると（図９参照）、ステップＳ９１でＹＥＳと判別され、ステップＳ９５に移る。“キャンセル”が選択されると、ステップＳ９３でＹＥＳと判別され、上位層のルーチンに復帰する。
【００６７】
ステップＳ９５では、選択されたコンテンツの識別子をレジスタ２８ｒに登録し、次のステップＳ９７でフラグＦ２をセットする。そしてステップＳ９９に移り、フラグＦ２がリセットされるのを待つ。
【００６８】
フラグＦ２がリセットされると、ステップＳ１０１でテーブルＴ１およびＴ２を更新する。例えばコンテンツ“Ｃ”が削除された場合、コンテンツ“Ｃ”に対応する情報がテーブルＴ１およびＴ２からそれぞれ削除される。テーブル更新後、ステップＳ９１およびＳ９３の選択操作待ち状態に戻る。
【００６９】
図２３を参照して、ダビング済みコンテンツ削除処理では、まずステップＳ１１１でダビング済みコンテンツ削除メニューをダビング済みコンテンツ一覧と共に表示する（図１１参照）。そしてステップＳ１１３〜Ｓ１１９のループに入り、“全部”，“ＤＶＤ−Ｒ”，“ＤＶＤ−ＲＷ”および“キャンセル”のいずれかの項目が選択されるのを待つ。
【００７０】
“全部”が選択されると、ステップＳ１１３でＹＥＳと判別され、ステップＳ１２１に移って、全てのダビング済みコンテンツの識別子をレジスタ２８ｒに登録する。次のステップＳ１２３では、全ダビング済みコンテンツの一括削除を行ってよいかを確かめる確認ダイアログを表示する（図１２参照）。そしてステップＳ１２９およびＳ１３１のループに入り、“はい”および“キャンセル”のいずれかが選択されるのを待つ。“はい”が選択されるとステップＳ１３３に進み、“キャンセル”が選択されるとステップＳ１１１に戻る。
【００７１】
ステップＳ１３３ではフラグＦ２をセットし、次のステップＳ１３５でフラグＦ２がリセットされるのを待つ。フラグＦ２がリセットされるとステップＳ１３７に進み、テーブルＴ１およびＴ２を更新する。これにより、コンテンツ“Ａ”，“Ｃ”，“Ｅ”，“Ｇ”および“Ｉ”に対応する情報がテーブルＴ１およびＴ２の各々から削除される。テーブル更新後、上位層のルーチンに復帰する。
【００７２】
“ＤＶＤ−Ｒ”が選択されると、ステップＳ１１５でＹＥＳと判別され、ステップＳ１２５に移って“Ｒ”ダビング済みコンテンツ削除処理（図２４参照；後述）を実行する。その後、ステップＳ１１１に戻る。“ＤＶＤ−ＲＷ”が選択されると、ステップＳ１１７でＹＥＳと判別され、ステップＳ１２７に移って“ＲＷ”ダビング済みコンテンツ削除処理（図２７参照；後述）を実行する。その後、ステップＳ１１１に戻る。“キャンセル”が選択されると、ステップＳ１１９でＹＥＳと判別され、上位層のルーチンに復帰する。
【００７３】
図２４を参照して、“Ｒ”ダビング済みコンテンツ削除処理では、まずステップＳ１５１で“Ｒ”ダビング済みコンテンツ削除メニューを“Ｒ”ダビング済みコンテンツ一覧と共に表示する（図１３参照）。そしてステップＳ１５３〜Ｓ１５９のループに入り、“全部”，“選択”，“詳細”および“キャンセル”のいずれかの項目が選択されるのを待つ。
【００７４】
“全部”が選択されると、ステップＳ１５３でＹＥＳと判別され、ステップＳ１６１に移って、全ての“Ｒ”ダビング済みコンテンツの識別子をレジスタ２８ｒに登録する。次のステップＳ１６３では、全“Ｒ”ダビング済みコンテンツの一括削除を行ってよいかを確かめる確認ダイアログを表示する（図１４参照）。そしてステップＳ１６９およびＳ１７１のループに入り、“はい”および“キャンセル”のいずれかが選択されるのを待つ。“はい”が選択されるとステップＳ１７３に進み、“キャンセル”が選択されるとステップＳ１５１に戻る。
【００７５】
ステップＳ１７３ではフラグＦ２をセットし、次のステップＳ１７５でフラグＦ２がリセットされるのを待つ。フラグＦ２がリセットされるとステップＳ１７７に進み、テーブルＴ１およびＴ２を更新する。これにより、コンテンツ“Ａ”および“Ｇ”に対応する情報がテーブルＴ１およびＴ２の各々から削除される。テーブル更新後、上位層のルーチンに復帰する。
【００７６】
“選択”が選ばれると、ステップＳ１５５でＹＥＳと判別され、ステップＳ１６５に移って“Ｒ”選択削除処理（図２５参照；後述）を実行する。その後、ステップＳ１１１に戻る。“詳細”が選択されると、ステップＳ１５７でＹＥＳと判別され、ステップＳ１６７に移って“Ｒ”詳細情報表示処理（図２６参照；後述）を実行する。その後、ステップＳ１５１に戻る。“キャンセル”が選択されると、ステップＳ１５９でＹＥＳと判別され、ステップＳ１１１に戻る。
【００７７】
図２５を参照して、“Ｒ”選択削除処理では、まずステップＳ１８１およびＳ１８３で選択操作を待つ。“Ｒ”コンテンツ一覧中のいずれかのコンテンツが選択されると、ステップＳ１８１でＹＥＳと判別され、ステップＳ１８５に移る。“キャンセル”が選択されると、ステップＳ１８３でＹＥＳと判別され、ステップＳ１５１に戻る。
【００７８】
ステップＳ１８５では、選択されたコンテンツの識別子をレジスタ２８ｒに登録し、次のステップＳ１８７でフラグＦ２をセットする。そしてステップＳ１８９に移り、フラグＦ２がリセットされるのを待つ。フラグＦ２がリセットされると、ステップＳ１９１でテーブルＴ１およびＴ２を更新する。この後、ステップＳ１８１およびＳ１８３の選択操作待ち状態に戻る。
【００７９】
図２６を参照して、“Ｒ”詳細情報表示処理では、まずステップＳ２０１およびＳ２０３のループで選択操作を待つ。“Ｒ”コンテンツ一覧中のいずれかのコンテンツが選択されると、ステップＳ２０１でＹＥＳと判別され、ステップＳ２０５に移る。“キャンセル”が選択されると、ステップＳ２０３でＹＥＳと判別され、上位層のルーチンに復帰する。
【００８０】
ステップＳ２０５では、選択されたコンテンツの詳細情報をテーブルＴ１およびＴ２から取得し、取得された詳細情報を表示する（図示せず）。その後、ステップＳ２０７に移ってＯＫキー２６ｂの押下を待ち、ＯＫキー２６ｂが押下されるとステップＳ２０１およびＳ２０３のループに戻る。
【００８１】
図２７を参照して、“ＲＷ”ダビング済みコンテンツ削除処理では、まずステップＳ２１１で“ＲＷ”ダビング済みコンテンツ削除メニューを“ＲＷ”ダビング済みコンテンツ一覧と共に表示する（図１５参照）。そしてステップＳ２１３〜Ｓ２１９のループに入り、“全部”，“選択”，“詳細”および“キャンセル”のいずれかの項目が選択されるのを待つ。
【００８２】
“全部”が選択されると、ステップＳ２１３でＹＥＳと判別され、ステップＳ２２１に移って、全ての“ＲＷ”ダビング済みコンテンツの識別子をレジスタ２８ｒに登録する。次のステップＳ２２３では、全“ＲＷ”ダビング済みコンテンツの一括削除を行ってよいかを確かめる確認ダイアログを表示する（図示せず）。そしてステップＳ２２９およびＳ２３１のループに入り、“はい”および“キャンセル”のいずれかが選択されるのを待つ。“はい”が選択されるとステップＳ２３３に進み、“キャンセル”が選択されるとステップＳ２３１に戻る。
【００８３】
ステップＳ２３３ではフラグＦ２をセットし、次のステップＳ２３５でフラグＦ２がリセットされるのを待つ。フラグＦ２がリセットされるとステップＳ２３７に進み、テーブルＴ１およびＴ２を更新する。これにより、コンテンツ“Ｃ”，“Ｅ”および“Ｉ”に対応する情報がテーブルＴ１およびＴ２の各々から削除される。テーブル更新後、上位層のルーチンに復帰する。
【００８４】
“選択”が選ばれると、ステップＳ２１５でＹＥＳと判別され、ステップＳ２２５に移って“ＲＷ”選択削除処理（図２８参照；後述）を実行する。その後、ステップＳ１１１に戻る。“詳細”が選択されると、ステップＳ２１７でＹＥＳと判別され、ステップＳ２２７に移って“ＲＷ”詳細情報表示処理（図２９参照；後述）を実行する。その後、ステップＳ２１１に戻る。“キャンセル”が選択されると、ステップＳ２１９でＹＥＳと判別され、ステップＳ１１１に戻る。
【００８５】
図２８を参照して、“ＲＷ”選択削除処理では、まずステップＳ２５１およびＳ２５３で選択操作を待つ。“ＲＷ”コンテンツ一覧中のいずれかのコンテンツが選択されると、ステップＳ２５１でＹＥＳと判別され、ステップＳ２５５に移る。“キャンセル”が選択されると、ステップＳ２５３でＹＥＳと判別され、ステップＳ２１１に戻る。
【００８６】
ステップＳ２５５では、選択されたコンテンツの識別子をレジスタ２８ｒに登録し、次のステップＳ２５７でフラグＦ２をセットする。そしてステップＳ２５９に移り、フラグＦ２がリセットされるのを待つ。フラグＦ２がリセットされると、ステップＳ２６１でテーブルＴ１およびＴ２を更新する。この後、ステップＳ２５１およびＳ２５３の選択操作待ち状態に戻る。
【００８７】
図２９を参照して、“ＲＷ”詳細情報表示処理では、まずステップＳ２７１およびＳ２７３のループで選択操作を待つ。“ＲＷ”コンテンツ一覧中のいずれかのコンテンツが選択されると、ステップＳ２７１でＹＥＳと判別され、ステップＳ２７５に移る。“キャンセル”が選択されると、ステップＳ２７３でＹＥＳと判別され、上位層のルーチンに復帰する。
【００８８】
ステップＳ２７５では、選択されたコンテンツの詳細情報をテーブルＴ１およびＴ２から取得し、取得された詳細情報を表示する。その後、ステップＳ２７７に移ってＯＫキー２６ｂの押下を待ち、ＯＫキー２６ｂが押下されるとステップＳ２７１およびＳ２７３のループに戻る。
【００８９】
図３０を参照して、ダビングタスクでは、ステップＳ２９１でフラグＦ１がセットされたか否かを判別する。フラグＦ１がセットされるとステップＳ２９３に移り、レジスタ２８ｒに登録された識別子に対応する本画像ファイルをＨＤ１８ａからＤＶＤ２０ａにダビングする。次のステップＳ２９３では、レジスタ２８ｒをクリアし、かつフラグＦ１をリセットする。その後、ステップＳ２９１に戻る。
【００９０】
図３１を参照して、コンテンツ削除タスクでは、ステップＳ３０１でフラグＦ２がセットされたか否かを判別する。フラグＦ２がセットされるとステップＳ３０３に移り、レジスタ２８ｒ登録された識別子に対応する本画像ファイルをＨＤ１８ａから削除する。次のステップＳ３０５では、レジスタ２８ｒをクリアし、かつフラグＦ２をリセットする。その後、ステップＳ３０１に戻る。
【００９１】
以上から明らかなように、この実施例では、コンテンツテーブルＴ１には、ＨＤ１８ａに記録された複数のコンテンツの属性情報例えばタイトル，ジャンル，録画日時，時間長などが登録され、削除済みコンテンツテーブルＴ２には、ＨＤ１８ａに記録された複数のコンテンツのうちＤＶＤ２０ａに複写された複写済みコンテンツのダビング先の種別などが登録される。
【００９２】
ＴＶモニタ２４には、コンテンツテーブルＴ１およびＴ２に登録された属性情報に基づく削除支援画面（図４〜図１７参照）が表示される。オペレータは、これらの画面により１つ１つの複写済みコンテンツの要否を判断し、不要と判断される複写済みコンテンツを一括的に削除する一括削除操作、もしくは個別的に削除する個別削除操作を行う。応じてＣＰＵ２８は、ＨＤ１８ａから該当する複写済みコンテンツを削除する命令をＨＤＤ１８に発行する。
【００９３】
つまり、削除支援画面によって複写済みコンテンツの要否を的確に判断することができる。そして、不要と判断される複写済みコンテンツを簡単な操作で削除することができる。例えば、複写済みコンテンツがどれも不要と判断されれば、ＨＤ１８ａから全ての複写済みコンテンツを一括削除することができる。また、全ての複写済みコンテンツを一括削除することはできなくても、複写済みコンテンツのうち“Ｒ”タイプのＤＶＤ２０ａに複写された“Ｒ”複写済みコンテンツがどれも不要と判断されれば、全ての“Ｒ”複写済みコンテンツを一括削除することができる。
【００９４】
なお、この実施例では、内部記録媒体としてハードディスク１８ａを用いたが、半導体メモリや光ディスクなどを用いることもできる。また、外部記録媒体としてＤＶＤ２０ａを用いたが、コンパクトディスクやフレキシブルディスクなどを用いることもできる。
【００９５】
以上では、この発明の一実施例であるレコーダ１０について説明したが、この発明は、内部記録媒体に記録された複数のコンテンツのうち任意のコンテンツを外部記録媒体に複写する機能を持った様々な装置に適用できる。
【図面の簡単な説明】
【００９６】
【図１】この発明の一実施例であるレコーダの構成を示すブロック図である。
【図２】コンテンツテーブルを示す図解図である。
【図３】ダビング済みコンテンツテーブルを示す図解図である。
【図４】コンテンツ削除支援画面の一例を示す図解図である。
【図５】コンテンツ削除支援画面の他の一例を示す図解図である。
【図６】コンテンツ削除支援画面のその他の一例を示す図解図である。
【図７】コンテンツ削除支援画面のさらにその他の一例を示す図解図である。
【図８】コンテンツ削除支援画面の他の一例を示す図解図である。
【図９】コンテンツ削除支援画面のその他の一例を示す図解図である。
【図１０】コンテンツ削除支援画面のさらにその他の一例を示す図解図である。
【図１１】コンテンツ削除支援画面の他の一例を示す図解図である。
【図１２】コンテンツ削除支援画面のその他の一例を示す図解図である。
【図１３】コンテンツ削除支援画面のさらにその他の一例を示す図解図である。
【図１４】コンテンツ削除支援画面の他の一例を示す図解図である。
【図１５】コンテンツ削除支援画面のその他の一例を示す図解図である。
【図１６】コンテンツ削除支援画面のさらにその他の一例を示す図解図である。
【図１７】コンテンツ削除支援画面の他の一例を示す図解図である。
【図１８】ＣＰＵ動作の一部を示すフロー図である。
【図１９】ＣＰＵ動作の他の一部を示すフロー図である。
【図２０】ＣＰＵ動作のその他の一部を示すフロー図である。
【図２１】ＣＰＵ動作のさらにその他の一部を示すフロー図である。
【図２２】ＣＰＵ動作の他の一部を示すフロー図である。
【図２３】ＣＰＵ動作のその他の一部を示すフロー図である。
【図２４】ＣＰＵ動作のさらにその他の一部を示すフロー図である。
【図２５】ＣＰＵ動作の他の一部を示すフロー図である。
【図２６】ＣＰＵ動作のその他の一部を示すフロー図である。
【図２７】ＣＰＵ動作のさらにその他の一部を示すフロー図である。
【図２８】ＣＰＵ動作の他の一部を示すフロー図である。
【図２９】ＣＰＵ動作のその他の一部を示すフロー図である。
【図３０】ＣＰＵ動作のさらにその他の一部を示すフロー図である。
【図３１】ＣＰＵ動作の他の一部を示すフロー図である。
【符号の説明】
【００９７】
１０…レコーダ
１４…入力処理回路
１８…ハードディスクドライブ
２０…ＤＶＤドライブ
２２…出力処理回路
２６…入力装置
２８…ＣＰＵ
２８ｒ…レジスタ
３０…フラッシュメモリ
３２…オンスクリーン・ディスプレイ回路
３４…混合回路
【図１】
2005346531.tif 000003
【図２】
2005346531.tif 000004
【図３】
2005346531.tif 000005
【図４】
2005346531.tif 000006
【図５】
2005346531.tif 000007
【図６】
2005346531.tif 000008
【図７】
2005346531.tif 000009
【図８】
2005346531.tif 000010
【図９】
2005346531.tif 000011
【図１０】
2005346531.tif 000012
【図１１】
2005346531.tif 000013
【図１２】
2005346531.tif 000014
【図１３】
2005346531.tif 000015
【図１４】
2005346531.tif 000016
【図１５】
2005346531.tif 000017
【図１６】
2005346531.tif 000018
【図１７】
2005346531.tif 000019
【図１８】
2005346531.tif 000020
【図１９】
2005346531.tif 000021
【図２０】
2005346531.tif 000022
【図２１】
2005346531.tif 000023
【図２２】
2005346531.tif 000024
【図２３】
2005346531.tif 000025
【図２４】
2005346531.tif 000026
【図２５】
2005346531.tif 000027
【図２６】
2005346531.tif 000028
【図２７】
2005346531.tif 000029
【図２８】
2005346531.tif 000030
【図２９】
2005346531.tif 000031
【図３０】
2005346531.tif 000032
【図３１】
2005346531.tif 000033